(57)【要約】      （修正有）【課題】不燃・耐火と断熱能力を備えた小石状再生多孔質軽量発泡資材を断熱材として使う不燃・断熱養殖建屋を提供する。【解決手段】養殖飼育で室温維持に使う断熱材は重要な役割を持っており、小石状再生多孔質軽量発泡資材７を不燃断熱材としてコンテナ本体周囲や屋根に取り入れ設置し利用するには、コンテナ本体より大きめの形状鋼材パイプを基礎土台に固定し形状鋼材パイプと不燃セメント板材５で養殖コンテナ建屋１周囲に囲い壁を構築し一定の間隔の隙間を保持し、その中に小石状再生多孔質軽量発泡資材７を投入して不燃断熱材として使う。【選択図】図１
0003219991.tif 000002
【実用新案登録請求の範囲】
【請求項１】
再生多孔質軽量発泡資材を使いコンテナは不燃・断熱養殖飼育コンテナ建屋に改装、又不燃建築材で新設養殖飼育建屋やガレージ（金属性）や倉庫（金属性）などを不燃・断熱養殖飼育建屋に改築・建設する事を特長とする不燃・断熱養殖建家。
【請求項２】
養殖コンテナや養殖飼育建屋本体部分より大きめのアーチ形状鋼材パイプを前記、記載の建物に沿って並べ基礎土台に固定し建て、それぞれのアーチ形状鋼材パイプとアーチ形状鋼材パイプに不燃セメント板材で繋ぎ固定して養殖コンテナや養殖飼育建屋本体廻りに壁を作る事により、建家本体とアーチ形状鋼材パイプ・不燃セメント板材で出来た壁との聞に一定の隙聞が出来る事を特徴とする防災・断熱コンテナ及び防災・断熱養殖飼育建屋。
【請求項３】
上記の養殖コンテナや養殖飼育建屋本体とアーチ形状鋼材・パイプ・不燃セメント板材で出来た壁と壁の聞に微細な凹凸が有り小石大の大きさの再生多孔質軽量発泡資材として作られ、再生多孔質軽量発泡資材をコンテナ外壁から囲い壁内側全体に収納し不燃素材及び断熱素材として活用する事を特徴とする防災・断熱コンテナ及び防災・断熱養殖飼育建屋。
【請求項４】
上記の防災・断熱養殖コンテナや防災・断熱養殖飼育建屋専用となっているが一般住宅や事務所・作業所に応用が可能な防災・断熱コンテナ及び防災・断熱建屋。
【請求項５】
外壁の不燃化は不燃セメント板の外側に一次セメントモルタルを塗りそしてグラスファイバーネットとグラスファイバーバンドを基礎土台に固定し、次に二次仕上げモルタルを塗り、その外側に不燃ガラス塗料を塗布する事を特徴とする不燃・断熱建屋。
【請求項６】
上記の再生多孔質軽量資材を使い、廃校や古くなった学校プールを養殖建屋に改装又は新築に応用ができる断熱・防災建屋。
【考案の詳細な説明】
【技術分野】
【０００１】  本発明は水性生物養殖飼育に置いてその生物に合致した水温維持は年間を通して維持されなければ成りません、これを達成しエネルギーの掛からないシステムを作り上げなければ陸上養殖の完成には繋がりません。【０００２】  陸上養殖の完結システムは生物濾過による有毒アンモニア・有毒亜硝酸の無毒化です。
【背景技術】
【０００３】  海上汚染が激しい昨今、将来的には陸上養殖に頼る事は明白です、そこで季節変動や何時起こるか分からない異常気象の中で生物養殖の水温維持は困難であります。
それを達成出来るシステムは断熱材を使った建屋が必要に成ります、建屋全体を保温や冷却維持するには養殖建屋建築の中で断熱材の選択は欠く事は出来ません。【０００４】  本特許の出願人も水温維持のための研究も特許出願も行ってきましたが、それは総て発泡樹脂断熱材による断熱の研究で不燃・耐火・防火の研究や特許の出願はしておりませんでした。【０００５】  なお、この断熱建材は断熱能力に優れておりますが不燃や耐火能力は有りません、断熱と防火・不燃・耐火とは相容れない問題で有りました、さてここに来て断熱マンションや断熱倉庫などから断熱材に寄り大火災が発生したと報じられておりました。【０００６】  それはＳＷＰ外壁断熱材による大火災で有りました。
ＳＷＰ断熱材とは金属板と金属板の間に発泡樹脂断熱材をサンドイッチ加工した製品です、断熱材表面は金属なので不燃ですが内部の断熱材は発泡樹脂断熱材で出来ています。【０００７】  鉄板の一部が高温度で熱せられる局部加熱による発火が起きます又金属が熱せられて加熱で起きる熱伝導火災が懸念されます、そして、それらの現象で内部の樹脂製断熱材に着火してしまいますので、一度着火してしまいますと表面の金属が邪魔をして、消火が出来ずに延焼が拡大し黒い煙がモクモクと上がり続くそうです。
【先行技術文献】
【特許文献】
【０００８】
【特許文献１】特開２０１６−５４０１３７  防火、防水、断熱装飾効果の有る
【特許文献２】特開２００６−１３７９１６  発泡板材
【特許文献３】特開２００５−２０６３８７  積層ガラス体及びその製造方法
【発明の効果】
【発明が解決しようとする課題】
【０００９】  特許文献１は発泡ガラス板が接着剤で壁面に固定され、外表面はレリーフ面になっている。但し、本願考案の再生発泡ガラスを採用し利用しているが不燃化の考案や提案は見受けられない。
【００１０】  特許文献２は無機繊維を集めマット基材にしてシロキサン・シラノール塩多分子溶液を塗布させ３００度以上の高温で熱処理を施す。但し、発泡疑似ガラス板材の生産で廃ガラスとアルミ鉱滓を発泡剤にして製造された再生発泡ガラス板ではない。
【００１１】  特許文献３は積層ガラス体及びかかる積層ガラス体の製造方法でピース状発泡ガラス原料とガラス板を同時焼成して作る積層ガラス体、但し、特許文献のいずれも金属類から金属類に接触している接着剤や有機材や発泡樹脂断熱材に対して、熱伝導着火や局部着火などの対策が盛り込まれていない。
【００１２】  また養殖建屋として今日まであまり投資する対象に考えられなかった。遊んでいる建物や古いコンテナやテントなどで養殖するのが一般的であった。陸上養殖を事業家するにあたり、この簡単な養殖飼育建屋では気温の変化について行けず移動できない生物は死んでしまいます。
【解決の手段】
【００１３】  これら無断熱のテント・倉庫・養殖建屋などで養殖飼育建屋を夏と冬の水温維持をクーラーやヒーターなどの電気で維持コントロールすると電気代莫大になり、養殖で上げる収益を上回る数字になります。
【００１４】  これを防ぎ採算点を合わせるには高断熱建屋の中での養殖飼育事業を進めなければなりません。今日まで断熱だけの建屋を作り養殖事業の推進を考えておりましたが、ここにきて火災の現実が突きつけられました。一夜にして現場が火災で不能になり、事業の継続が出来なくなる想定は最初から排除しておく事業計画でなければなりません。
【００１５】  上記に示したように養殖事業の継続は養殖飼育建屋内の断熱効果によるエネルギー経費節減に頼るしか有りません、そして初期投資に断熱効果だけに頼り発泡樹脂断熱材を取り入れた建設計画では長期の事業計画は立ちません、ここで養殖事業に初めて事業継続のために一回の出火で養殖施設の崩壊に繋がり事業継続が難しく成ります、今後の事業継続は防災・不燃・耐火の概念を取り入れた生産事業計画が必要に成ってきました。
【００１６】    本発明に利用の再生多孔質軽量発泡資材（再生発泡ガラス汚水浄化材）は廃ガラスとＡＩ灰（アルミ鉱滓）５％添加して混合焼結法により発泡ガラスを作成し、凹凸や細粒子の形成が認められ、吸着性の向上と関連していると言われ、ここ数年は再生発泡ガラスの吸着性が注目され汚水浄化材として応用利用されています。
【００１７】  再生多孔質軽量発泡資材は別名を再生発泡ガラスと呼ばれ、汚水浄化材としてその業界に流通しているが今後、多孔質軽量発泡資材と別名されているのでその名で呼ぶことにします。
再生発泡ガラス多孔質軽量発泡資材は発泡樹脂断熱材と比較しても断熱能力は落ちると思われます、そこで断熱能力の評価から思いますと発泡樹脂断熱材と再生発泡ガラス板材の同時併用がベストと思われます。
【００１８】    現在、多孔質軽量発泡資材は日本では小石大の大きさで汚水浄化材として流通しているが、隣国の台湾では４〜５センチ厚で住宅の断熱材として流通している。
【００１９】    さらに、日本では多孔質軽量発泡資材を板状に製造していると聞きません、そして台湾の再生多孔質軽量発泡資材板製造は４〜５センチ厚さで有ります、この再生発泡ガラス多孔質軽量発泡資材の断熱能力を想定すると倍厚８センチ以上の厚さの断熱材が必要と想定されます。
【００２０】    また、本発明の養殖コンテナ及び養殖建屋に１０センチ前後の厚い断熱材を設置する事は再生発泡ガラス板製造の現状から見ても、そして外気温の遮断能力や断熱材の断熱技術能力から見ても達成が困難視されています、そこでコンテナ養殖建屋と断熱養殖建屋本体とアーチ形状鋼材パイプとそれぞれの板材を組み合わせて出来る一定の隙間を構成される所に多孔質軽量発泡資材を設置収納する事で本来の断熱材の厚さの確保が出来、それと断熱能力の向上達成が見受けられる。
【００２１】    さて、それぞれの養殖建屋内に火災発生の基となる有機材料や発泡樹脂断熱材などを建築建材から排除して、不燃・耐火と断熱能力を達成出来る再生多孔質軽量発泡資材だけを使い断熱能力を向上させたシステムでアーチ形状鋼材パイプと不燃セメント板とガラス繊維を混入補強した不燃石膏ボードは柔軟性と強靱性が有るこれら材料で養殖建屋本体廻りに一定の隙間を確保する、また、その時屋根部のアーチ形状に対応するためにガラス繊維混入補強石膏ボード板でアーチ形状に対応する、この様に不燃・耐火能力を備えた、不燃・断熱コンテナ養殖飼育建屋と不燃・断熱養殖飼育建屋を作る事が出来ました。
【００２２】    またアーチ形状鋼材パイプとそれぞれの不燃板材で構成されたその外側は一次セメントモルタルが塗られて、その外側に紫外線に強い不燃グラスファイバーネットが建屋全体に覆い被せられその合間所々にグラスファイバーネットバンドを配置して基礎土台金具に固定する、この工程は南方の離島対策で強い風・台風などに備えての予防措置でグラスファイバーネットの両端は建屋基礎土台に固定する
【００２３】    さらに、その外側に二次の仕上げセメントモルタルを塗り上げる、そして最後に仕上げモルタルの上に不燃ガラス塗料を塗布する。この様に最後の不燃ガラス塗料は太陽光や中でも紫外線・塩害・などに強く長期の養殖運営を維持する事は養殖建屋の定期管理が欠かせない事業に成ります、養殖建屋本体の定期にガラス塗料の塗布管理を欠くことは出来ません。
【００２４】    本願発明のシステムは多孔質軽量発泡資材（再生発泡ガラス）を使い、不燃で断熱効果のある養殖建屋の中で生物の養殖産業を長期に渡り地場産業として維持する事を目標にエネルギーの消費が少なく固定費のかからない陸上養殖産業を立ち上げると共に多孔質軽量発泡資材を使い熱の放出を遮断し、熱や冷気の侵入を防御すると共に養殖建屋と施設を火災から防御して金属の局部燃焼発火に寄る樹脂断熱材に着火してしまう事で起こる断熱材着火を防火ができるシステムで火災と言う新しい課題の解決であります。
【図面の簡単な説明】
【００２５】
【図１】  再生多孔質軽量発泡資材を断熱材に使いコンテナの不燃化養殖建屋断面図
【図２】  コンテナ利用の不燃化養殖建屋の側面図
【考案を実施するための形態】
【００２６】    以下図を用いて本考案を実施した例を説明する。
図１にコンテナ１を中心にした全体のイメージと建屋断面の層構造を示す。
ほぼ水平の面に配置された建屋土台１５の上にコンテナ１を配置する。
本願発明はコンテナの側壁面及び天面を再生多孔質軽量発泡資材７（再生発泡ガラス汚水浄化材と同一で今後再生多孔質軽量発泡資材と呼ぶ）でコンテナ１に沿って並べられたアーチ形状鋼材パイプ１と不燃セメント板５（アーチ部屋根はガラス繊維混入石膏ボード板１７）を組み合わせて作った囲い壁内１１の中に再生多孔質軽量発泡資材７をコンテナ１と囲い壁１１の間に投入する。この投入された再生多孔質軽量発泡資財７は単独では断熱材能力の不足部分は囲い壁を広げ再生多孔質軽量発泡材７を多く投入し、壁の中を厚く確保して断熱能力を高く取る事が出来る、又コンテナ外部に設置された暖房及び冷房用クーラーは室外機２４を通り、換気扇付き温度調整機２１に貯められ換気扇により囲い壁１１の中に設置された再生多孔質軽量発泡資材７に送り込まれる。そしてコンテナ１の屋根に置かれたネットパイプ１２はコンテナ１屋根部に無造作に投入された再生多孔質軽量発泡資材７によりクーラー２３からの送風が滞った時の予防措置とネットパイプ１２のどちらかのくちにコントロール付きのフタを付ける事で自動送風ができる。（図面に載せず）
【００２７】  コンテナ１内部に設置された換気扇１６は再生多孔質軽量発泡資材７の中をクーラー２３から送風された空気をコンテナ１室内に送風する。この一連の遠回りの処置は一般的にクーラーは室内に取り付けるのが常識でありますが、コンテナ１内部は養殖飼育水槽が設置されており、水槽にフタが付ける事で作業性が落ちる事で現場では水槽にフタをする事は敬遠される。そして、水槽にフタをしない事でクーラーの故障が頻繁に発生する事が判明している。
【００２８】  本発明の図１は実施例です。そして、コンテナ建屋１内部の温度一定化を確保するためコンテナ建屋１外部に囲い壁１１を設置して、その中側に再生多孔質軽量発泡資材７を投入して断熱を確保して、それと共に火災を誘発すると懸念のある発泡樹脂断熱材を排除してコンテナ建屋を火災から守る事ができました。
【００２９】  またアーチ形状鋼材パイプに取り付ける屋根部囲い壁材はアーチ対応のため柔軟性と強靭性が求められるためにガラス繊維を補強混入した石膏ボード板１７を採用する。この素材は内装用のために外装対応用に処置する事とアーチ屋根部セメントモルタル６の配合を屋根用に対応する。
【００３０】  さらにその外側に二次セメントモルタル層６を塗り込む、そして最後、仕上げに不燃ガラス塗料（図に表示無し）を塗布する。この塗料は塩害や強い太陽光に耐え素材の表面に塗ると防炎効果を発揮する。又コンテナ建屋内の床は木材床になっているため、防火のためにコンクリート板床２５にするか、生コンで床を作るか改装が必要になる。
また、グラスファイバーネットとグラスファイバーネットバンドは第一セメントモルタル層と二次セメントモルタル層の聞に設置する。その外面の数箇所にグラスファイバーネットバンド（図面に表示無し）で締めて安定性を強化する。この処置は沿岸や離島に設置したときに強風や台風に備える措置である。更に、コンテナ建屋内部に換気扇１６から送り込まれた空気は底部に設置されたコンテナ飼育室内空気回収パイプよりクーラー室外機２４に送られる。
【産業上の利用可能性】
【００３１】  本考案の不燃・断熱建屋は養殖飼育建屋と断熱能力が再生多孔質軽量発泡資材の厚さで左右され、又断熱板材としてまだ流通してない現状を考慮して汚水浄化材として流通している。そして再生多孔質軽量発泡資材を流通している現状の大きさと姿で不燃・断熱養殖建屋として考案、考察してきました。陸上養殖の完成には水性生物の生存水温が継続的に維持できるかが養殖の成功の鍵になります。そして緯度の低い地域の離島で水性生物の養殖を行う水槽を入れる建屋を作ることを想定して考案された物である。又、離島などで廃校や使われなくなった古いプールの上に養殖建屋を建設して養殖業務を行うことが出来る。それ以外でも、逆に寒冷地において温暖な環境を好む水性生物の養殖に実地しても効果が高い。又、季節の影響を受けずに養殖を可能にするので事業として行う場合は安定的に運営が出来る。【００３２】  さらに本願考案の不燃・断熱建屋は養殖関係用途以外でも、一般住宅としても従来にない利点が多いので、今後の普及が期待でき、離島や過疎地の産業と雇用を生み出すことが期待出来る。【００３３】  しかし、今日まで養殖事業の完成は断熱による飼育の温度管理だけ考えてきましたので、断熱技術の開発は一段落と考えておりました。しかし昨年から外国のマンションでの火災や国内の大型倉庫での大火が起き現場では業務の停止が発生しました。【００３４】  上記のように一つの出火で事業現場の崩壊が起きました。今日まで断熱は着火しやすい発泡脂断熱材を起用した建屋を開発してきましたが、火災により養殖施設の崩壊や養殖事業の中止などに繋がり、その地域で長期に渡り安全で運営できる養殖建屋の開発が出できる事は新たな産業と雇用の構築に繋がります。
【符合の説明】
【００３５】１      コンテナ建屋
２
３      アーチ形状鋼材パイプ
４
５      不燃セメント板
６      セメントモルタル（一次と二次と分けて塗る）
７      再生多孔質軽量発泡資材
８      コンテナ建屋と再生多孔質軽量発泡資材収納建屋
９
１０
１１    固い壁
１２    パイプネット
１３    グラスファイバーネット
１４
１５    基礎土台
１６    換気扇
１７    ガラス繊維混入石膏ボード板
１８
１９
２０
２１    換気扇付き温度調整ボックス
２２
２３    クーラー
２４    クーラー室外機
２５    コンクリート板床
２６
２７    排水パイプ
２８    コンテナ底部飼育室内空気回収パイプ
【図１】
0003219991.tif 000003
【図２】
0003219991.tif 000004
【手続補正書】
【提出日】平成30年10月31日(2018.10.31)
【手続補正１】
【補正対象書類名】実用新案登録請求の範囲
【補正対象項目名】全文
【補正方法】変更
【補正の内容】
【実用新案登録請求の範囲】
【請求項１】
養殖飼育で室温維持に使う断熱材は重要な役割を持っており、小石状再生多孔質軽量発泡資材を不燃断熱材としてコンテナ本体周囲や屋根に取り入れ設置し利用するには、コンテナ本体より大きめの形状鋼材パイプを基礎土台に固定し形状鋼材パイプと不燃セメント板材で養殖コンテナ建屋周囲に囲い壁を構築し一定の間隔の隙間を保持し、その中に小石状再生多孔質軽量発泡資材を投入して不燃断熱材として使う事を特徴とした不燃・断熱養殖建屋。
【請求項２】
請求項１記載の小石状再生多孔質軽量発泡資材を不燃断熱材として使う事を特徴とする養殖建屋で建築物本体に取り入れ利用するには建築物本体より大きめの形状鋼材パイプを基礎土台に固定し、その形状鋼材パイプと不燃セメント板で建築物本体に沿って周囲に囲い壁を構築し一定の間隔の隙間を保持し、その中に小石状再生多孔質軽量発泡資材を投入し不燃断熱材として使う事が特徴とした不燃・断熱養殖建屋。
【請求項３】
請求項１記載の小石状再生多孔質軽量発泡資材を不燃断熱材として使う事を特徴とする養殖建屋で金属製建築物本体に取り入れ利用するには、金属製建築物本体より大きめの形状鋼材パイプを基礎土台に固定し、その形状鋼材パイプと不燃セメント板で金属製建築物本体に沿って周囲に囲い壁を構築し一定の間隔の隙間を保持し、その中に小石状再生多孔質軽量発泡資材を投入し不燃断熱材として使う事が特徴とする不燃・断熱養殖建家。
【請求項４】
請求項１記載の小石状再生多孔質軽量発泡資材を不燃断熱材として使う事を特徴とする養殖建屋で学校プール建築物に取り入れ利用するには学校プール建築物本体より大きめの形状鋼材パイプを基礎土台に固定し、その形状鋼材パイプと不燃セメント板で学校プール建築物本体に沿って周囲に囲い壁を構築し一定の間隔の隙間を保持し、その中に小石状再生多孔質軽量発泡資材を投入し断熱材として使う事を特徴とする不燃・断熱養殖建屋。
【請求項５】
請求項１記載の小石状再生多孔質軽量発泡資材を不燃断熱材として使う事を特徴とする養殖建屋でそこに不燃断熱材を投入するために囲い壁用建築物を建築する中でアーチ屋根部はアール状の形状の為に材質はそれに対応して柔軟性が要求されるためにガラス繊維を混入補強し柔軟性に対応出来る石膏ボード板を使いアール対応で仕上げる事が出来る特徴を持つ不燃・断熱養殖建屋。
【請求項６】
請求項１記載の小石状再生多孔質軽量発泡資材を不燃断熱材として使う事を特徴とする養殖建屋で建築物本体の周辺に囲い壁を構築し断熱材として小石状再生多孔質軽量発泡資材を中に投入し最後のセメント囲い壁板が塞がれ一回目のモルタルが塗られた後に建築物本体にガラス繊維ネット及びガラス繊維バンドが建物全体に被せられ末端は基礎部土台に固定され、そしてガラス繊維ネットやバンドの上から二回目のセメントモルタルが塗られその後に表面火災の防火のために不燃ガラス塗料が塗布され仕上げられる事を特徴とする不燃・断熱養殖建屋。